(57)【要約】【課題】誤結線によって直流コンセントに接続された直流負荷が破壊されてしまうことを防止できる配電システムを提供することにある。【解決手段】配電システムは、直流の電力系統ＤＣに分岐接続される直流用分岐ブレーカ１１を備える直流分電盤１と、交流の電力系統ＡＣに分岐接続される交流用分岐ブレーカ２１を備える交流分電盤２と、直流用分岐ブレーカ１１の二次側に接続される直流配線Ｌｄｃと、交流用分岐ブレーカ２１の二次側に接続される交流配線Ｌａｃと、直流配線Ｌｄｃに接続される直流コンセント３とを備えて建物内に敷設され、直流コンセント３は、直流プラグ接続用のプラグ接続部３０と、高電位側端子部３１Ｈおよび低電位側端子部３１Ｌを有し直流配線Ｌｄｃに接続される配線接続部３１とを備えるとともに、アノードが低電位側端子部３１Ｌにカソードが高電位側端子部３１Ｈにそれぞれ接続されるダイオードＤとを備える。【選択図】図１
2010041759.tif 000002
【特許請求の範囲】
【請求項１】
直流の電力系統に分岐接続される直流用回路遮断器をキャビネットに収納してなる直流分電盤と、交流の電力系統に分岐接続される交流用回路遮断器をキャビネットに収納してなる交流分電盤と、直流分電盤の直流用回路遮断器の二次側に接続される直流配線と、交流分電盤の交流用回路遮断器の二次側に接続される交流配線と、直流配線に接続される直流コンセントとを少なくとも備えて、建物内に敷設される配電システムであって、
直流コンセントは、直流プラグの高電位側の栓刃に対応する高電位側刃受部および低電位側の栓刃に対応する低電位側刃受部を有するプラグ接続部と、高電位側刃受部に接続される高電位側端子部および低電位側刃受部に接続される低電位側端子部を有し直流配線が接続される配線接続部とを器体に備え、
高電位側端子部と低電位側端子部との間には、ダイオードが、アノードを低電位側の接続端子にカソードを高電位側の接続端子にそれぞれ電気的に接続する形で、挿入されていることを特徴とする配電システム。
【請求項２】
上記直流コンセントは、上記ダイオードに電流が流れているときと流れていないときとで表示が変化する状態表示部を備え、
上記器体には、状態表示部を外部に臨ませる窓部が設けられていることを特徴とする請求項１記載の配電システム。
【請求項３】
上記高電位側端子部と上記低電位側端子部との少なくとも一方と上記ダイオードとの間には、上記ダイオードに流れる電流を上記直流用回路遮断器および上記交流用回路遮断器のいずれもがトリップ可能な範囲で限流する限流用抵抗部が挿入されていることを特徴とする請求項１または２記載の配電システム。
【請求項４】
上記直流コンセントは、上記ダイオードに接触配置される放熱部を備えていることを特徴とする請求項１〜３のうちいずれか１項記載の配電システム。
【請求項５】
上記ダイオードは、ツェナダイオードであることを特徴とする請求項１〜４のうちいずれか１項記載の配電システム。
【発明の詳細な説明】
【技術分野】
【０００１】
本発明は、直流電力と交流電力との双方を供給することができる配電システムに関するものである。
【背景技術】
【０００２】
従来から、交流５０Ｈｚまたは６０Ｈｚの単相２線式１００Ｖもしくは単相３線式１００／２００Ｖの電路において、主に住宅などの引込口装置として使用する住宅用分電盤（住宅盤ともいう）が提供されている。当該分電盤は、主幹ブレーカ（主開閉器）や、主幹ブレーカの二次側に接続された主幹電路（母線）から分岐して電気機器に電力を供給する分岐電路（分岐線）にそれぞれ設けられた複数の分岐ブレーカ（分岐開閉器）などの交流配電システムを構成する機器を、キャビネットに収納して（組み込んで）なるものである。
【０００３】
一方、近年では、太陽電池の普及や省エネルギ化など種々の観点から交流電力に加えて直流電力も配電したいという要望が高まってきている。
【０００４】
そこで、交流電力と直流電力との両方を配電可能な配電システムとして、直流の電力系統に分岐接続される直流用回路遮断器をキャビネットに収納してなる直流分電盤と、交流の電力系統に分岐接続される交流用回路遮断器をキャビネットに収納してなる交流分電盤と、直流分電盤の直流用回路遮断器の二次側に接続される直流配線と、交流分電盤の交流用回路遮断器の二次側に接続される交流配線とを備えるものが提案されている。
【０００５】
このような配電システムの他例としては、例えば、特許文献１，２に示すものがある。特許文献１に示すものは、交流電力を配電する分電盤に、交流電力を直流電力に変換するＡＣ／ＤＣコンバータや、ＡＣ／ＤＣコンバータの出力電圧を昇圧する昇圧コンバータなどを具備した電源手段を備えており、この電源手段より直流負荷（直流機器）に直流電力を供給可能としている。また、特許文献２に示すものは、交流用分電盤ユニットと、直流用分電盤ユニットとをラック本体内に備えている。
【特許文献１】特開２００５−２２４０６６号公報
【特許文献２】実用新案登録第３１１３２６６号公報
【発明の開示】
【発明が解決しようとする課題】
【０００６】
ところで、上述したような配電システムは、一般に建物内に敷設されるものであり、直流負荷や交流負荷を直流配線や交流配線に接続するために、建物内の壁に露設される直流コンセントや交流コンセントが使用される。
【０００７】
ここで、直流は、時間により高電位側と低電位側とが入れ替わる交流とは異なり高電位側と低電位側とが入れ替わることがない。一方、直流負荷は、高電位側の端子と低電位側の端子とを備えており、これらの端子間に印加される電圧によって動作するものである。
【０００８】
そのため、直流負荷において直流配線の高電位側の電線に接続されるべき端子を低電位側の電線に、直流配線の低電位側の電線に接続されるべき端子を高電位側の電線に接続して、直流負荷の端子間に逆電圧が印加された際には、直流負荷にストレスがかかり、破壊されてしまうおそれがある。
【０００９】
直流負荷を直流コンセントに接続する作業は、建物内の居住者などの専門的な知識を有していない者が行うことが多い。したがって、直流負荷と直流コンセントとの接続時に高電位側と低電位側とを逆にして直流コンセントに接続するといった誤結線（誤接続）が行われてしまう可能性が高いから、直流プラグと直流コンセントには、直流プラグを直流コンセントに正しい形でしか接続できないような措置が従来から講じられている。
【００１０】
しかしながら、直流配線と直流コンセントには、上記のような措置が講じられておらず、直流配線の高電位側の電線と低電位側の電線との区別などが難しく、たとえ専門知識を有する技術者であっても、直流コンセントを直流配線に接続する際に、直流配線の高電位側と低電位側とを逆にして接続してしまうといった誤結線（誤接続）を行ってしまうことがあった。
【００１１】
また、従来から交流分電盤が普及しており、交流用の配線器具が種々提供されている。このような現状や配電システムの敷設にかかるコストや増設の容易さなどの種々の面を考慮すれば、直流コンセントなどの直流用の配線器具の規格は、交流用の配線器具の規格に合わせることが好ましい。そのため、直流用の配線器具と交流用の配線器具は外観上紛らわしく、また直流配線や交流配線に用いる配線には同じ規格のものが用いられることが多い。よって、直流コンセントを直流配線ではなく交流配線に接続してしまうといった誤結線が行われることもあった。
【００１２】
本発明は上述の点に鑑みて為されたもので、その目的は、誤結線によって直流コンセントに接続された直流負荷が破壊されてしまうことを防止できる配電システムを提供することにある。
【課題を解決するための手段】
【００１３】
上述の課題を解決するために、請求項１の発明では、直流の電力系統に分岐接続される直流用回路遮断器をキャビネットに収納してなる直流分電盤と、交流の電力系統に分岐接続される交流用回路遮断器をキャビネットに収納してなる交流分電盤と、直流分電盤の直流用回路遮断器の二次側に接続される直流配線と、交流分電盤の交流用回路遮断器の二次側に接続される交流配線と、直流配線に接続される直流コンセントとを少なくとも備えて、建物内に敷設される配電システムであって、直流コンセントは、直流プラグの高電位側の栓刃に対応する高電位側刃受部および低電位側の栓刃に対応する低電位側刃受部を有するプラグ接続部と、高電位側刃受部に接続される高電位側端子部および低電位側刃受部に接続される低電位側端子部を有し直流配線が接続される配線接続部とを器体に備え、高電位側端子部と低電位側端子部との間には、ダイオードが、アノードを低電位側の接続端子にカソードを高電位側の接続端子にそれぞれ電気的に接続する形で、挿入されていることを特徴とする。
【００１４】
請求項１の発明によれば、直流配線の高電位側の電線を直流コンセントの配線接続部の低電位側端子部に、低電位側の電線を高電位側端子部にそれぞれ接続した場合には、低電位側端子部の電位が高電位側端子部の電位より高くなる。これによって、高電位側端子部と低電位側端子部との間がダイオードで短絡されるから、直流用回路遮断器がトリップする。一方、交流配線を直流コンセントの配線接続部に接続した場合には、交流の半サイクルだけ低電位側端子部の電位が高電位側端子部の電位より高くなる。これによって、交流の半サイクルではあるがダイオードにより高電位側端子部と低電位側端子部との間が短絡されるから、交流用回路遮断器がトリップする。このように、誤結線が行われた場合には、直流用回路遮断器または交流用回路遮断器がトリップするから、直流コンセントに接続された直流負荷への給電が停止される。したがって、誤結線によって直流コンセントに接続された直流負荷が破壊されてしまうことを防止することができる。
【００１５】
請求項２の発明では、請求項１の発明において、上記直流コンセントは、上記ダイオードに電流が流れているときと流れていないときとで表示が変化する状態表示部を備え、上記器体には、状態表示部を外部に臨ませる窓部が設けられていることを特徴とする。
【００１６】
請求項２の発明によれば、器体に設けた窓部より状態表示部の表示を確認することによって、誤結線が行われたか否かを知ることができるから、速やかに結線のやり直しを促すことができる。
【００１７】
請求項３の発明では、請求項１または２の発明において、上記高電位側端子部と上記低電位側端子部との少なくとも一方と上記ダイオードとの間には、上記ダイオードに流れる電流を上記直流用回路遮断器および上記交流用回路遮断器のいずれもがトリップ可能な範囲で限流する限流用抵抗部が挿入されていることを特徴とする。
【００１８】
請求項３の発明によれば、誤結線時にダイオードに流れる電流によってダイオードが破壊されてしまうことを防止することができる。
【００１９】
請求項４の発明では、請求項１〜３のうちいずれか１項の発明において、上記直流コンセントは、上記ダイオードに接触配置される放熱部を備えていることを特徴とする。
【００２０】
請求項４の発明によれば、誤結線時にダイオードに電流が流れることによるダイオードの温度上昇を抑制することができて、急峻な電流変化が生じた際でも、ダイオードが破壊され難くなる。
【００２１】
請求項５の発明では、請求項１〜４のうちいずれか１項の発明において、上記ダイオードは、ツェナダイオードであることを特徴とする。
【００２２】
請求項５の発明によれば、結線が正しく行われた場合でも、直流の電力系統の電圧が直流コンセントに適合する電圧より高電圧であれば、ツェナダイオードがブレークダウン（降伏）して、高電位側端子部と低電位側端子部との間が短絡される。これによって、直流用回路遮断器がトリップするため、直流コンセントに接続された直流負荷への給電が停止されて、直流負荷が破壊されてしまうことを防止することができる。
【発明の効果】
【００２３】
本発明は、誤結線によって直流コンセントに接続された直流負荷が破壊されてしまうことを防止できるという効果を奏する。
【発明を実施するための最良の形態】
【００２４】
本発明の一実施形態の配電システムは、住宅などの建物内に敷設されるものであって、図１（ａ）に示すように、直流分電盤１と、交流分電盤２と、直流配線Ｌｄｃと、交流配線Ｌａｃと、直流コンセント３と、交流コンセント４とを備えている。
【００２５】
直流分電盤１および交流分電盤２はいずれも住宅用分電盤（住宅盤ともいう）であり、交流の電力系統ＡＣに接続されている。ここで、交流の電力系統ＡＣとしては、例えば、交流５０Ｈｚまたは６０Ｈｚの単相２線式１００Ｖもしくは単相３線式１００／２００Ｖのものが挙げられる。もちろん交流の電力系統ＡＣは上記の例に限定されない。
【００２６】
交流分電盤２は、主幹ブレーカ（主開閉器）２０と、複数（図示例では６つ）の交流用分岐ブレーカ（交流用回路遮断器）２１とをキャビネット２ａに収納して（組み込んで）なる交流配電装置である。交流用分岐ブレーカ２１は、主幹ブレーカ２０の二次側に接続された主幹電路（母線）２２から分岐して図示しない交流用の電気機器（交流負荷）に電力を供給する分岐電路（分岐線）２３に設けられている（すなわち、交流用分岐ブレーカ２１は、交流の電力系統ＡＣに分岐接続されている）。なお、主幹ブレーカ２０や交流用分岐ブレーカ２１は、交流負荷に過電流（過負荷電流や短絡電流）が流れたり、漏電が生じたりした際（つまり異常電流が発生した際）に、トリップする（交流負荷への給電を遮断する動作を行う）ものであり、従来周知のものを採用することができるから詳細な説明は省略する。
【００２７】
ところで、交流用分岐ブレーカ２１の二次側（負荷側）には、交流配電用の配線である交流配線Ｌａｃが接続される。当該交流配線Ｌａｃには、交流コンセント４などの交流用配線器具が接続される。このような交流配線Ｌａｃは、例えば、電圧極側の電線と接地極側の電線とを有する二芯（二線式）のものである。
【００２８】
キャビネット２ａは、前面が開口された箱状に形成され内部に主幹ブレーカ２０や交流用分岐ブレーカ２１を収納するボックスや、ボックスの前面開口を開閉するドアなどを備えている。このようなキャビネット２ａも従来周知のものを採用することができるから詳細な説明は省略する。
【００２９】
交流コンセント４は、壁面Ｗ（図２（ａ）参照）に埋め込み設置されるものであって、交流負荷に設けられた交流プラグ（図示せず）が接続されるプラグ接続部（図示せず）と、交流用分岐ブレーカ２１の二次側に接続するための配線接続部（図示せず）とを備える。交流コンセント４は、従来周知のものを採用することができるから、詳細な説明は省略する。
【００３０】
直流分電盤１は、ＡＣ／ＤＣコンバータ（交直変換器）１０と、複数（図示例では３つ）の直流用分岐ブレーカ（直流用回路遮断器）１１とをキャビネット１ａに収納して（組み込んで）なる直流配電装置である。
【００３１】
ＡＣ／ＤＣコンバータ１０は、ダイオード・ブリッジなどの整流器（図示せず）や、昇降圧チョッパ回路などを備え、交流の電力系統ＡＣの交流電圧を所定電圧（例えば２４Ｖ）の直流電圧に変換して出力する。したがって、交流の電力系統ＡＣとＡＣ／ＤＣコンバータ１０とによって、直流の電力系統ＤＣが構成される。
【００３２】
直流用分岐ブレーカ１１は、ＡＣ／ＤＣコンバータ１０の出力側に接続され、直流電力が供給される主幹電路（母線）１２から分岐して図示しない直流用の電気機器（直流負荷）に電力を供給する分岐電路（分岐線）１３に設けられている（すなわち、直流用分岐ブレーカ１１は、直流の電力系統ＤＣに分岐接続されている）。なお、直流用分岐ブレーカ１１は、直流負荷に過電流（過負荷電流や短絡電流）が流れたり、漏電が生じたりした際（つまり異常電流が発生した際）に、トリップする（直流負荷への給電を遮断する動作を行う）ものであり、従来周知のものを採用することができるから詳細な説明は省略する。
【００３３】
直流用分岐ブレーカ１１の二次側（負荷側）には、直流配電用の配線である直流配線Ｌｄｃが接続される。当該直流配線Ｌｄｃには、直流コンセント３などの直流用配線器具が接続される。このような直流配線Ｌｄｃは、高電位側の電線と低電位側の電線とを有する二芯のものである。
【００３４】
キャビネット１ａは、前面が開口された箱状に形成され内部にＡＣ／ＤＣコンバータ１０や直流用分岐ブレーカ１１を収納するボックスや、当該ボックスの前面開口を開閉するドアなどを備えている。このようなキャビネット１ａも従来周知のものを採用することができるから詳細な説明は省略する。
【００３５】
直流コンセント３は、図２（ａ）に示すように壁面Ｗに埋め込み設置されるものであって、図１（ｂ）に示すように、直流負荷に設けられた直流プラグ（図示せず）が接続されるプラグ接続部３０と、直流用分岐ブレーカ１１の二次側に接続するための配線接続部３１とを器体３２に備える。
【００３６】
プラグ接続部３０は、直流プラグの高電位側の栓刃（図示せず）に対応する高電位側刃受部３０Ｈと、直流プラグの低電位側の栓刃（図示せず）に対応する低電位側刃受部３０Ｌとを有している。高電位側刃受部３０Ｈと低電位側刃受部３０Ｌの構成は、使用を想定する直流プラグの規格に応じて適宜設定される。
【００３７】
配線接続部３１は、直流配線Ｌｄｃを介して直流コンセント３を直流用分岐ブレーカ１１の二次側に接続するためのものであり、直流配線Ｌｄｃの高電位側の電線に接続される高電位側端子部３１Ｈと、直流配線Ｌｄｃの低電位側の電線に接続される低電位側端子部３１Ｌとを備えている。
【００３８】
ここで、高電位側端子部３１Ｈと高電位側刃受部３０Ｈとは金属材料により一体に形成され、低電位側端子部３１Ｌと低電位側刃受部３０Ｌとは金属材料により一体に形成されている。すなわち、高電位側端子部３１Ｈは、高電位側刃受部３０Ｈに電気的に接続され、低電位側端子部３１Ｌは、低電位側刃受部３０Ｌに電気的に接続されている。なお、高電位側端子部３１Ｈおよび低電位側端子部３１Ｌとしては、例えば速結端子などその他の周知の端子を採用することができる。
【００３９】
また、直流コンセント３は、誤結線による逆電圧から直流負荷を保護するための構成としてダイオードＤを備える。ダイオードＤは、ＰＮダイオードであって、アノードを低電位側端子部３１Ｌに、カソードを高電位側端子部３１Ｈに接続する形で、高電位側端子部３１Ｈと低電位側端子部３１Ｌとの間に挿入されている。
【００４０】
したがって、直流配線Ｌｄｃの高電位側の電線（すなわち直流の電力系統ＤＣの高電位側）を高電位側端子部３１Ｈに、直流配線Ｌｄｃの低電位側の電線（すなわち直流の電力系統ＤＣの低電位側）を低電位側端子部３１Ｌに接続した状態では、高電位側端子部３１Ｈの電位が低電位側端子部３１Ｌよりも高くなるから、ダイオードＤには電流が流れない。一方、直流配線Ｌｄｃの高電位側の電線を低電位側端子部３１Ｌに、直流配線Ｌｄｃの低電位側の電線を高電位側端子部３１Ｈに接続した状態では、高電位側端子部３１Ｈの電位が低電位側端子部３１Ｌよりも低くなるから、図１（ｂ）に矢印Ａで示すようにダイオードＤに電流が流れ、高電位側端子部３１Ｈと低電位側端子部３１Ｌとの間が短絡されることになる。また、直流配線Ｌｄｃではなく交流配線Ｌａｃを配線接続部３１に接続した場合（つまり交流用分岐ブレーカ２１を介して直流コンセント３を交流の電力系統ＡＣに接続した場合）には、交流の半サイクルだけ低電位側端子部３１Ｌの電位が高電位側端子部３１Ｈの電位より高くなるので、ダイオードＤにより高電位側端子部３１Ｈと低電位側端子部３１Ｌとの間が短絡されることになる。
【００４１】
さらに、直流コンセント３は、誤結線が行われているか否かを表示するための状態表示部３３を備える。状態表示部３３は、例えば、可逆性を有する感温材（温度によって色彩が変化する材料）を利用した感温テープ（感温シール）である。状態表示部３３は、図２（ｂ）に示すように、ダイオードＤの表面に貼り付けられている。したがって、状態表示部３３の色彩（色）は、主としてダイオードＤの温度に依存する。本実施形態では、状態表示部３３として、低温時には白色、高温時には赤色となるようなものを用いている。ここで、低温時とは、ダイオードＤに電流が流れていないときのダイオードＤの温度を想定しており、高温時とは、ダイオードＤに電流が流れているとき、つまりは誤結線時のダイオードＤの温度を想定している。つまり、状態表示部３３はダイオードＤに電流が流れているか否かによって色が変化する。そのため、状態表示部３３の色が白色であれば正常（結線が正しい）、赤色であれば異常（結線が誤り）と判断することができる。
【００４２】
器体（筐体）３２は、図２（ａ）に示すように、直方体の箱状に形成されている。器体３２の前面（直流プラグとの対向面）には、直流プラグの本体部分の先端側と凹凸嵌合する断面円形状の嵌合凹所３２ａが形成されており、当該嵌合凹所３２ａの底面に、一対の栓刃挿入口３２ｂが形成されている。そして、嵌合凹所３２ａの内周面には、一方の栓刃挿入口３２ｂの直流プラグの高電位側の栓刃が、他方の栓刃挿入口３２ｂに直流プラグの低電位側の栓刃がそれぞれ挿入されるように直流プラグと直流コンセント３との接続状態を規定するリブ３２ｃが設けられている。つまり、本実施形態における直流コンセント３では、直流プラグの高電位側の栓刃が他方の栓刃挿入口３２ｂに、低電位側の栓刃が一方の栓刃挿入口３２ｂにそれぞれ挿入される形では、直流プラグを直流コンセント３に接続できないようになっている。また、器体３２の前面には、状態表示部３３を外部（前面側）に臨ませる孔（図示例では断面矩形状の孔）よりなる窓部３２ｄが設けられている。器体３２の後面には、直流配線Ｌｄｃの高電位側の電線を器体３２内に挿入するための高電位側の挿入孔（図示せず）と、直流配線Ｌｄｃの低電位側の電線を器体３２内に挿入するための低電位側の挿入孔（図示せず）とが形成されている。
【００４３】
器体３２には、プラグ接続部３０が、高電位側刃受部３０Ｈを一方の栓刃挿入口３２ｂに、低電位側刃受部３０Ｌを他方の栓刃挿入口３２ｂにそれぞれ対応させる形で収納され、配線接続部３１が、高電位側端子部３１Ｈを高電位側の挿入孔に、低電位側端子部３１Ｌを低電位側の挿入孔にそれぞれ対応させる形で収納される。また、ダイオードＤは、状態表示部３３を器体３２の窓部３２ｄより外部に臨ませる形で器体３２内に収納される。
【００４４】
以上述べたように本実施形態の配電システムは、直流の電力系統ＤＣに分岐接続される直流用分岐ブレーカ１１をキャビネット１ａに収納してなる直流分電盤１と、交流の電力系統ＡＣに分岐接続される交流用分岐ブレーカ２１をキャビネット２ａに収納してなる交流分電盤２と、直流分電盤１の直流用分岐ブレーカ１１の二次側に接続される直流配線Ｌｄｃと、交流分電盤２の交流用分岐ブレーカ２１の二次側に接続される交流配線Ｌａｃと、直流配線Ｌｄｃに接続される直流コンセント３と、交流配線Ｌａｃに接続される交流コンセント４とを備える。
【００４５】
この配電システムの直流コンセント３においては、誤結線による逆電圧から直流負荷を保護するために、ダイオードＤが、アノードを低電位側端子部３１Ｌに、カソードを高電位側端子部３１Ｈに接続する形で、高電位側端子部３１Ｈと低電位側端子部３１Ｌとの間に挿入されている。そのため、直流の電力系統ＤＣの高電位側を高電位側端子部３１Ｈに、直流の電力系統ＤＣの低電位側を低電位側端子部３１Ｌに接続したとき（直流配線Ｌｄｃを正しく接続したとき）は、ダイオードＤには電流が流れず、状態表示部３３の色は白色である。
【００４６】
一方、直流配線Ｌｄｃの高電位側の電線を直流コンセント３の配線接続部３１の低電位側端子部３１Ｌに、低電位側の電線を高電位側端子部３１Ｈにそれぞれ接続した場合には、低電位側端子部３１Ｌの電位が高電位側端子部３１Ｈの電位より高くなる。この場合、ダイオードＤにより高電位側端子部３１Ｈと低電位側端子部３１Ｌとの間が短絡されるから、直流コンセント３が二次側に接続されている直流用分岐ブレーカ１１はトリップする。その結果、直流の電力系統ＤＣから直流コンセント３への給電が停止される。また、ダイオードＤに電流が流れて高温になるから、状態表示部３３の色が白色から赤色に変化する。
【００４７】
交流配線Ｌａｃを直流コンセント３の配線接続部３１に接続した場合には、交流の半サイクルだけ低電位側端子部３１Ｌの電位が高電位側端子部３１Ｈの電位より高くなる。この場合、交流の半サイクルではあるがダイオードＤにより高電位側端子部３１Ｈと低電位側端子部３１Ｌとの間が短絡されるから、直流コンセント３が二次側に接続されている交流用分岐ブレーカ２１はトリップする。その結果、交流の電力系統ＡＣから直流コンセント３への給電が停止される。また、ダイオードＤに電流が流れて高温になるから、状態表示部３３の色が白色から赤色に変化する。
【００４８】
このように本実施形態の配電システムでは、直流の電力系統ＤＣの高電位側に低電位側端子部３１Ｌを、低電位側に高電位側端子部３１Ｈをそれぞれ接続する（電線を逆に接続する）、あるいは交流の電力系統ＡＣに配線接続部３１を接続するといった誤結線が行われた場合には、ダイオードＤにより高電位側端子部３１Ｈと低電位側端子部３１Ｌとの間が短絡されるため、直流用分岐ブレーカ１１または交流用分岐ブレーカ２１がトリップして直流コンセント３に接続された直流負荷への給電が停止される。
【００４９】
したがって、本実施形態の配電システムによれば、誤結線によって直流コンセント３に接続された直流負荷が破壊されてしまうことを防止することができる。また、ダイオードＤに電流が流れているときと流れていないときとで色が変わる状態表示部３３を備えているので、器体３２に設けた窓部３２ｄより状態表示部３３の色を確認することによって、誤結線が行われたか否かを知ることができるから、速やかに結線のやり直しを促すことができる。
【００５０】
ところで、高電位側端子部３１ＨとダイオードＤとの間には、ダイオードＤに流れる電流を限流する限流用抵抗部（図示せず）が挿入されていてもよい。当該限流用抵抗部の抵抗値は、誤結線時に、直流用分岐ブレーカ１１および交流用分岐ブレーカ２１のいずれもがトリップ可能な大きさに設定される。つまり、限流用抵抗部は、ダイオードＤに流れる電流を直流用分岐ブレーカ１１および交流用分岐ブレーカ２１のいずれもがトリップ可能な範囲で限流する。
【００５１】
このような限流用抵抗部を設ければ、誤結線時にダイオードＤに流れる電流によってダイオードＤが破壊されてしまうことを防止することができる。なお、限流用抵抗部は、高電位側端子部３１ＨとダイオードＤとの間ではなく、低電位側端子部３１ＬとダイオードＤとの間に挿入してもよく、要するに、高電位側端子部３１Ｈと低電位側端子部３１Ｌとの少なくとも一方とダイオードＤとの間に挿入すればよい。なお、限流用抵抗部を設ける場合には、状態表示部３３をダイオードＤではなく限流用抵抗部に設けてもよい。抵抗はダイオードに比べて通電時の発熱量を調整し易いから、状態表示部３３をダイオードＤに設ける場合に比べれば設計が容易になる。
【００５２】
ところで、上記の例では、状態表示部３３に感温テープを用いているが、磁気反転表示器（図示せず）を用いてもよい。磁気反転表示器は、例えば、板状に形成され厚み方向の一面と他面がそれぞれ異なる色（例えば、一面が白色、他面が赤色）に着色された表示素子と、表示素子を反転させる駆動装置とを備える。駆動装置は、表示素子の上記一面を表側（器体３２の窓部３２ｄより外部に臨ませる側）に向けるためのコイル（セット用コイル）と、表示素子の上記他面を表側に向けるためのコイル（リセット用コイル）とを有するものであり、通電するコイルを切り替えることによって表示素子を反転させることができる。このような磁気反転表示器を用いる場合には、例えば、リセット用コイルを高電位側端子部３１Ｈと低電位側端子部３１Ｌとのいずれか一方とダイオードＤとの間に挿入するとともに、セット用コイルをＰＮダイオードとともに高電位側端子部３１Ｈと低電位側端子部３１Ｌとの間に挿入すればよい。ここで、ＰＮダイオードは、高電位側端子部３１Ｈの電位が低電位側端子部３１Ｌより高いときだけセット用コイルに電流を流すために使用される。また、セット用コイルに流れる電流は、直流用分岐ブレーカ１１や交流用分岐ブレーカ２１がトリップしないような大きさでかつ表示素子を反転させることができる大きさに設定される。
【００５３】
この場合において、直流の電力系統ＤＣの高電位側を高電位側端子部３１Ｈに、直流の電力系統ＤＣの低電位側を低電位側端子部３１Ｌに接続したとき（直流配線Ｌｄｃを正しく接続したとき）は、セット用コイルに電流が流れる。そのため、状態表示部３３の表示素子の上記一面が表側になり、器体３２の窓部３２ｄから見える状態表示部３３の色は白色である。一方、直流配線Ｌｄｃを逆に接続したときは、ダイオードＤを通じてリセット用コイルに電流が流れる。そのため、状態表示部３３の表示素子は反転されて、上記他面が表側になり、器体３２の窓部３２ｄから見える状態表示部３３の色は赤色になる。また、交流配線Ｌａｃを接続したときは、セット用コイルとリセット用コイルに交互に電流が流れる。そのため、状態表示部３３において表示素子が繰り返し反転され、器体３２の窓部３２ｄから見える状態表示部３３の色は白色と赤色が交互に入れ替わることになる。
【００５４】
したがって、このような磁気反転表示器を用いた状態表示部３３であっても、同様に、誤結線か否かの表示が可能である。なお、状態表示部３３による表示は、色によるものではなく、文字や記号などであってもよい。
【００５５】
また、直流コンセント３は、ダイオードＤに接触配置される放熱部を備えていてもよい。このような放熱部としては、例えば、熱容量が大きい材料により形成された熱伝導体（例えば銅バルクなど）により板状に形成されたものを採用することができる。このような放熱部を設ければ、誤結線時にダイオードＤに電流が流れることによるダイオードＤの温度上昇を抑制することができて、急峻な電流変化が生じた際でも、ダイオードＤが破壊され難くなる。
【００５６】
また、ダイオードＤとしては、ＰＮダイオードの代わりに、ツェナダイオード（ツェナーダイオード）を用いることができる。この場合、結線が正しく行われた場合でも、直流の電力系統ＤＣの電圧がツェナダイオードの降伏電圧（ブレークダウン電圧）を越えていれば、ダイオードＤを通じて、高電位側端子部３１Ｈと低電位側端子部３１Ｌとの間が短絡される。そのため、直流用分岐ブレーカ１１がトリップし、これによって、直流コンセント３に接続された直流負荷への給電が停止されて、直流負荷が破壊されてしまうことを防止することができる。このようなツェナダイオードの降伏電圧は、直流コンセント３の使用を想定している電圧（直流コンセント３に適合する電圧）より高く、かつ使用を想定していない高電圧（過電圧として検出したい電圧）より低く設定される。例えば、直流コンセント３の使用を想定している電圧が２４Ｖであれば、３０Ｖ程度に設定することで、４８Ｖのような過電圧から直流負荷を保護することが可能になる。
【００５７】
なお、本実施形態の配電システムはあくまでも一例であって、本発明の技術的範囲を本実施形態の構成に限定する趣旨ではなく、本発明の趣旨を逸脱しない範囲で変更してもよい。また、本実施形態の配電システムは、少なくとも直流分電盤１と、交流分電盤２と、直流コンセント３を含んでいればよく、交流コンセント４やその他のスイッチなどの種々の配線器具は適宜付設されるものである。また、本実施形態における直流分電盤１は、交流の電力系統ＡＣに接続されているためにＡＣ／ＤＣコンバータ１０を備えているが、例えば、太陽電池や燃料電池などの直流電源から電力を得ることができるのであれば、ＡＣ／ＤＣコンバータ１０は必ずしも設ける必要はない。太陽電池や燃料電池などの直流電源を用いる場合には所望の電圧を得るためＤＣ／ＤＣコンバータを設けてもよい。また、直流分電盤１の直流用分岐ブレーカ１１や、交流分電盤２の交流用分岐ブレーカ２１は、同じキャビネットに収納するようにしてもよい。
【図面の簡単な説明】
【００５８】
【図１】（ａ）は本発明の一実施形態の配電システムの概略図、（ｂ）は同上の配電システムに用いられる直流コンセントの概略図である。
【図２】同上における直流コンセントを示し、（ａ）は正面図、（ｂ）は部分断面図である。
【符号の説明】
【００５９】
１    直流分電盤
１ａ  キャビネット
２    交流分電盤
２ａ  キャビネット
３    直流コンセント
４    交流コンセント
１１    直流用分岐ブレーカ（直流用回路遮断器）
２１    交流用分岐ブレーカ（交流用回路遮断器）
３０    プラグ接続部
３０Ｈ  高電位側刃受部
３０Ｌ  低電位側刃受部
３１    配線接続部
３１Ｈ  高電位側端子部
３１Ｌ  低電位側端子部
３２    器体
３２ｄ  窓部
３３    状態表示部
Ｄ    ダイオード
ＤＣ    直流の電力系統
ＡＣ    交流の電力系統
Ｌｄｃ  直流配線
Ｌａｃ  交流配線
【図１】
2010041759.tif 000003
【図２】
2010041759.tif 000004